(57)【要約】【課題】キーに割り当てられる機能を音声で出力する入力装置、及び、その入力装置を備える画像形成装置を提供する。【解決手段】入力装置３００、所定の機能が割り当てられた第１キーを複数表示すると共に、音声ガイドを実行させる機能が割り当てられた第１領域が配置される表示部７１１と、表示部７１１に対する接触物の接触を検出する検出部７１２と、音声を出力するスピーカー１００と、検出部７１２の検出結果に基づいて、第１領域への接触物の接触を検知し、表示部７１１に対する接触物の接触が継続することを検知し、さらに、いずれかの第１キーに対応する領域への接触物の接触を検知した場合に、スピーカー１００から当該第１キーに割り当てられる所定の機能に関する情報についての音声を出力させる制御部９０と、を備える。【選択図】図２
2012178103.tif 000002
【特許請求の範囲】
【請求項１】
所定の機能が割り当てられた第１キーを複数表示すると共に、音声ガイドを実行させる機能が割り当てられた第１領域が配置される表示部と、
前記表示部に対する接触物の接触を検出する検出部と、
音声を出力する音声出力部と、
前記検出部の検出結果に基づいて、前記第１領域への接触物の接触を検知し、前記表示部に対する接触物の接触が継続することを検知し、さらに、いずれかの第１キーに対応する領域への接触物の接触を検知した場合に、前記音声出力部から当該第１キーに割り当てられる所定の機能に関する情報についての音声を出力させる制御部と、
を備える入力装置。
【請求項２】
前記制御部は、前記検出部の検出結果に基づいて、前記第１領域への接触物の接触を検知した場合に、接触物が接触される第１キーに割り当てられた所定の機能を音声で出力する音声ガイドが実行される状態になったことを示す音声を前記音声出力部から出力させる
請求項１に記載の入力装置。
【請求項３】
前記表示部の全体又は一部を振動させる振動部を備え、
前記制御部は、前記検出部の検出結果に基づいて、前記第１領域への接触物の接触を検知した場合に、前記表示部を振動させるよう前記振動部を制御する
請求項１又は２に記載の入力装置。
【請求項４】
前記制御部は、前記検出部の検出結果に基づいて、いずれかの第１キーに対応する領域への接触物の接触を検知した場合に、前記表示部を振動させるよう前記振動部を制御する
請求項３に記載の入力装置。
【請求項５】
前記表示部は、平面視して矩形であり、
前記第１領域は、前記表示部における４つの角部のうちの少なくとも１つの角部に配置される
請求項１から４のいずれか１項に記載の入力装置。
【請求項６】
請求項１から５のいずれか１項に記載の入力装置と、
前記入力装置の前記表示部に表示される第１キーに割り当てられる所定の機能を実行する動作部と、
を備える画像形成装置。
【発明の詳細な説明】
【技術分野】
【０００１】
本発明は、入力装置及びそれを備える画像形成装置に関する。
【背景技術】
【０００２】
タッチパネル等を備える入力装置は、例えば、所定の機能が割り当てられたキーを表示部に表示し、表示部に表示されるいずれかのキーがユーザの指等によって操作された場合に、表示部における指が接触した位置を検出部により検出し、検出部によって検出された位置と表示部に表示されるキーの位置との対応関係に基づいて、特定のキーが操作されたことを検出するようになっている。
このような入力装置では、ハンドセットが持ち上げられ、且つ、表示部に表示されるキーが操作された場合に、そのキーに割り当てられる機能を音声で出力するものがある（特許文献１参照）。
【先行技術文献】
【特許文献】
【０００３】
【特許文献１】特開２００１−２５５９９９号公報
【発明の概要】
【発明が解決しようとする課題】
【０００４】
特許文献１に記載された入力装置は、ハンドセットが持ち上げられた場合に、表示部に表示されるキーに割り当てられる機能を音声でガイドすることが可能になる。しかしながら、複合機やコピー機等の画像形成装置には、ハンドセットを配置するスペースがない。このため、特許文献１に記載された入力装置を画像形成装置に搭載して、弱視や全盲のユーザ（目の不自由なユーザ）に対して、音声ガイドを提供することはできない。
【０００５】
本発明は、キーに割り当てられる機能を音声でガイドする入力装置を提供することを目的とする。
また、本発明は、その入力装置を備える画像形成装置を提供することを目的とする。
【課題を解決するための手段】
【０００６】
本発明は、所定の機能が割り当てられた第１キーを複数表示すると共に、音声ガイドを実行させる機能が割り当てられた第１領域が配置される表示部と、前記表示部に対する接触物の接触を検出する検出部と、音声を出力する音声出力部と、前記検出部の検出結果に基づいて、前記第１領域への接触物の接触を検知し、前記表示部に対する接触物の接触が継続することを検知し、さらに、いずれかの第１キーに対応する領域への接触物の接触を検知した場合に、前記音声出力部から当該第１キーに割り当てられる所定の機能に関する情報についての音声を出力させる制御部と、を備える入力装置に関する。
【０００７】
また、前記制御部は、前記検出部の検出結果に基づいて、前記第１領域への接触物の接触を検知した場合に、接触物が接触される第１キーに割り当てられた所定の機能を音声で出力する音声ガイドが実行される状態になったことを示す音声を前記音声出力部から出力させることが好ましい。
【０００８】
また、入力装置は、前記表示部の全体又は一部を振動させる振動部を備え、前記制御部は、前記検出部の検出結果に基づいて、前記第１領域への接触物の接触を検知した場合に、前記表示部を振動させるよう前記振動部を制御することが好ましい。
【０００９】
また、前記制御部は、前記検出部の検出結果に基づいて、いずれかの第１キーに対応する領域への接触物の接触を検知した場合に、前記表示部を振動させるよう前記振動部を制御することが好ましい。
【００１０】
また、前記表示部は、平面視して矩形であり、前記第１領域は、前記表示部における４つの角部のうちの少なくとも１つの角部に配置されることが好ましい。
【００１１】
また、本発明は、上述した入力装置と、前記入力装置の前記表示部に表示される第１キーに割り当てられる所定の機能を実行する動作部と、を備える画像形成装置に関する。
【発明の効果】
【００１２】
本発明は、キーに割り当てられる機能を音声でガイドする入力装置、及び、その入力装置を備える画像形成装置を提供することができる。
【図面の簡単な説明】
【００１３】
【図１】画像形成装置の一実施形態に係るコピー機の全体構成を説明するための図である。
【図２】入力装置を備えるコピー機の機能構成を示すブロック図である。
【図３】タッチパネルに表示される画面について説明するための図である。
【図４】ユーザによって操作されるタッチパネルについて説明するための図である。
【図５】第１領域が配置される表示部について説明するための第１の図である。
【図６】第１領域が配置される表示部について説明するための第２の図である。
【発明を実施するための形態】
【００１４】
以下、図面を参照して、本発明の入力装置の一実施形態と、本発明の画像形成装置の一実施形態に係るコピー機とを説明する。なお、以下の実施形態では、入力装置がコピー機に備えられた例について説明する。まず、入力装置３００が備えられたコピー機１の全体構成について説明する。図１は、画像形成装置の一実施形態に係るコピー機１の全体構成を説明するための図である。
【００１５】
コピー機１は、原稿搬送部１０と、原稿読取部２０と、用紙搬送部３０と、画像形成部４０と、転写部５０と、定着部６０とを備える。
原稿搬送部１０は、ＡＤＦ（Ａｕｔｏｍａｔｉｃ  Ｄｏｃｕｍｅｎｔ  Ｆｅｅｄｅｒ）であり、原稿載置部１１と、第１送りローラー１２と、ガイド１３と、タイミングローラー対１４と、原稿排出部１５とを備える。第１送りローラー１２は、原稿載置部１１に載置された原稿Ｇを１枚ずつ順にタイミングローラー対１４に供給する。タイミングローラー対１４は、原稿読取部２０が原稿Ｇの画像を読み取るタイミングと、原稿Ｇの画像が原稿読取部２０によって読み取られる位置（ガイド１３が配置されている位置）に原稿Ｇを供給するタイミングとを合わせるために、原稿Ｇの搬送又は原稿Ｇの搬送停止を行う。ガイド１３は、搬送された原稿Ｇを後述する第１読取面２１ａに導く。原稿排出部１５は、原稿読取部２０によって画像が読み取られた（ガイド１３を通過した）原稿Ｇをコピー機本体２の外部に排出する。
原稿排出部１５におけるコピー機本体２の外側には、原稿集積部１６が形成される。原稿集積部１６には、原稿排出部１５から排出された原稿Ｇが積層して集積される。
【００１６】
原稿読取部２０は、第１読取面２１ａと、第２読取面２２ａとを備える。第１読取面２１ａは、ガイド１３に対向して配置された第１コンタクトガラス２１の上面に沿って形成され、原稿Ｇの画像を読み取る面となる。第２読取面２２ａは、第１読取面２１ａに隣接して（図１に示す場合では、第１読取面２１ａの右側の大部分に亘って）配置される。第２読取面２２ａは、原稿搬送部１０を用いずに原稿Ｇの画像を読み取る場合に用いられる。第２読取面２２ａは、原稿Ｇが載置される第２コンタクトガラス２２の上面に沿って形成され、原稿Ｇの画像を読み取る面となる。
【００１７】
また、原稿読取部２０は、照明部２３と、第１ミラー２４と、第２ミラー２５と、第３ミラー２６と、結像レンズ２７と、撮像部２８とをコピー機本体２の内部に備える。照明部２３と第１ミラー２４とは、それぞれ副走査方向Ｘに移動する。第２ミラー２５と第３ミラー２６とは、図１において照明部２３及び第１ミラー２４の左側に配置される。さらに、第２ミラー２５及び第３ミラー２６は、第１ミラー２４と、第２ミラー２５と、第３ミラー２６と、結像レンズ２７とを介した第１読取面２１ａ又は第２読取面２２ａから撮像部２８までの距離（光路長）を一定に保ちつつ、それぞれ副走査方向Ｘに移動する。
【００１８】
照明部２３は、原稿Ｇに光を照射する光源である。第１ミラー２４、第２ミラー２５及び第３ミラー２６は、光路長を一定に保ちつつ、原稿Ｇによって反射された光を結像レンズ２７に導くためのミラーである。結像レンズ２７は、第３ミラー２６から入射した光を撮像部２８に結像させる。撮像部２８は、入射された光を電気信号に変換することにより、結像された光像に基づいて画像データを得るための撮像素子であり、例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等のイメージセンサーである。
【００１９】
用紙搬送部３０は、第２送りローラー３１と、第３送りローラー３２と、レジストローラー対３３と、用紙排出部３４とを備える。第２送りローラー３１は、給紙カセット３６に収容される用紙Ｔ（被画像形成媒体）を転写部５０に供給する。第３送りローラー３２は、手差しトレイ３７に載置される用紙Ｔ（被画像形成媒体）を転写部５０に供給する。レジストローラー対３３は、転写部５０にトナー画像が形成されるタイミングと、転写部５０に用紙Ｔを供給するタイミングとを合わせるために、用紙Ｔの搬送又は用紙Ｔの搬送停止を行う。また、レジストローラー対３３は、用紙Ｔのスキュー（斜め給紙）補正を行う。用紙排出部３４は、トナー画像が定着された用紙Ｔをコピー機本体２の外部に排出する。
用紙排出部３４におけるコピー機本体２の外側には、排紙集積部３５が形成される。排紙集積部３５には、用紙排出部３４から排出された用紙Ｔが積層して集積される。
【００２０】
画像形成部４０は、感光体ドラム４１と、帯電部４２と、レーザースキャナユニット４３と、現像器４４と、クリーニング部４５と、トナーカートリッジ４６と、１次転写ローラー４７と、中間転写ベルト４８と、対向ローラー４９とを備える。
感光体ドラム４１（４１ａ，４１ｂ，４１ｃ，４１ｄ）は、ブラック、シアン、マゼンタ及びイエローそれぞれのトナー画像を形成するために、感光体又は像担持体として機能する。各感光体ドラム４１ａ，４１ｂ，４１ｃ，４１ｄの周囲には、感光体ドラム４１の回転方向に沿って上流側から下流側へ順に、帯電部４２と、レーザースキャナユニット４３と、現像器４４と、クリーニング部４５とが配置される。帯電部４２は、感光体ドラム４１の表面を帯電させる。レーザースキャナユニット４３は、感光体ドラム４１の表面から離れて配置され、原稿読取部２０によって読み取られた原稿Ｇに関する画像データに基づいて感光体ドラム４１の表面を走査露光する。これにより、感光体ドラム４１の表面には、露光された部分の電荷が除去されて静電潜像が形成される。現像器４４は、感光体ドラム４１の表面に形成された静電潜像にトナーを付着させてトナー画像を形成する。クリーニング部４５は、除電器（図示せず）によって感光体ドラム４１の表面が除電された後のその表面に残るトナー等を除去する。
トナーカートリッジ４６は、現像器４４に供給される各色のトナーを収容する。トナーカートリッジ４６と現像器４４とは、トナー供給路（図示せず）により接続されている。
【００２１】
１次転写ローラー４７（４７ａ，４７ｂ，４７ｃ，４７ｄ）は、中間転写ベルト４８における各感光体ドラム４１ａ，４１ｂ，４１ｃ，４１ｄとは反対側にそれぞれ配置される。中間転写ベルト４８は、画像形成部４０及び転写部５０を通過するベルトである。中間転写ベルト４８の一部分は、各感光体ドラム４１ａ，４１ｂ，４１ｃ，４１ｄと各１次転写ローラー４７ａ，４７ｂ，４７ｃ，４７ｄとの間に挟み込まれ、各感光体ドラム４１ａ，４１ｂ，４１ｃ，４１ｄの表面に形成されたトナー画像が１次転写される。対向ローラー４９は、環状形状の中間転写ベルト４８の内側に配置され、中間転写ベルト４８を図１に示す矢印Ａ方向に進行させるための駆動ローラーである。
【００２２】
転写部５０は、２次転写ローラー５１を備える。２次転写ローラー５１は、中間転写ベルト４８における対向ローラー４９とは反対側に配置され、中間転写ベルト４８の一部分を対向ローラー４９との間に挟みこむ。さらに、２次転写ローラー５１は、中間転写ベルト４８に１次転写されたトナー画像を用紙Ｔに２次転写させる。
【００２３】
定着部６０は、加熱回転体６１と、加圧回転体６２とを備える。加熱回転体６１と加圧回転体６２とは、トナー画像が２次転写された用紙Ｔを挟み込んで、トナーを溶融及び加圧し、そのトナーを用紙Ｔに定着させる。
【００２４】
次に、コピー機１の機能構成について説明する。なお、以下のコピー機１の機能構成の説明では、入力装置３００の機能構成についても合わせて説明する。図２は、入力装置３００を備えるコピー機１の機能構成を示すブロック図である。図３は、タッチパネル７１に表示される画面について説明するための図である。
コピー機１は、上述した構成要素（原稿搬送部１０、原稿読取部２０、用紙搬送部３０、画像形成部４０、転写部５０及び定着部６０）を備える。用紙搬送部３０、画像形成部４０、転写部５０及び定着部６０によりエンジン部３が構成される。なお、図１を用いて説明した構成要素については、その説明を省略する。
さらに、コピー機１は、上述した機能構成に加えて、操作部７０と、記憶部８０と、音声出力部としてのスピーカー１００と、制御部９０とを備える。
【００２５】
操作部７０は、タッチパネル７１、テンキー（図示せず）及びスタートキー（図示せず）等を備える。テンキーは、印刷部数等の数字を入力するために操作される。タッチパネル７１は、種々の機能（一例として、印刷倍率の設定機能や、複数のページを１枚の用紙Ｔに割り付ける機能（２ｉｎ１等））が割り当てられた複数のキー等を表示する。タッチパネル７１に表示されたキーは、種々の機能のうちのいずれかをコピー機１に実行させるために操作される。スタートキーは、印刷を実行させるために操作される。操作部７０は、いずれかのキーが操作されることにより、このキーが操作されたことを表す信号を制御部９０に供給する。
【００２６】
また、タッチパネル７１は、表示部７１１と、検出部７１２と、振動部７１３とを備える。
表示部７１１は、所定の機能が割り当てられた第１キー２０１（図３参照）を複数表示すると共に、音声ガイドを実行させる機能が割り当てられた第１領域が配置される。第１キー２０１は、例えば、「原稿サイズ」キーや「用紙選択」キー等である。「原稿サイズ」キーには、原稿載置部１１に載置された原稿のサイズを選択する機能が割り当てられる。「用紙選択」キーには、画像が形成される用紙のサイズを選択させる機能が割り当てられる。また、図３に示す場合、第１領域には、音声ガイドキー２０２が配置される。音声ガイドキー２０２は、音声ガイドを実行させる機能が割り当てられている。なお、音声ガイドキー２０２は、表示部７１１の形状が平面視して矩形の場合には、表示部７１１の角部や辺部（周縁部）に設けられることが好ましい。表示部７１１の周縁部とコピー機本体２（筐体）との間には段差が形成されるため、弱視や全盲のユーザは、音声ガイドキー２０２の位置を把握し易くなる。
【００２７】
検出部７１２は、表示部７１１に対する接触物の接触を検出する。接触物は、ユーザの指やスタイラスと呼ばれる入力用ペン等である。検出部７１２は、接触物による表示部７１１への接触を検出した場合に、接触物が接触した位置を示す位置情報を制御部に出力する。検出部７１２は、例えば、抵抗膜式や静電容量式等であればよい。
【００２８】
振動部７１３は、表示部７１１の全体又は一部を振動させる。振動部７１３は、例えば、圧電振動子等である。振動部７１３は、例えば、表示部７１１の上面又は下面に接合するように設けられている。すなわち、振動部７１３は、振動する場合に、その振動を表示部７１１に伝えることができるように配置されている。なお、振動部７１３は、単数配置されるばかりでなく、複数配置されていてもよい。
【００２９】
記憶部８０は、ハードディスクや半導体メモリー等から構成される。記憶部８０は、原稿読取部２０によって読み取られた原稿Ｇに基づく画像データを記憶する。また、記憶部８０は、コピー機１において利用される制御プログラム、及びこの制御プログラムによって利用されるデータ等を記憶する。
スピーカー（音声出力部）１００は、音声を出力する。例えば、スピーカー１００は、第１キー２０１に割り当てられる所定の機能に関する情報についての音声を出力する。
【００３０】
制御部９０は、原稿搬送部１０、原稿読取部２０、エンジン部３、操作部７０等を制御する。
また、制御部９０は、例えば、次のような処理を行う。すなわち、制御部９０は、検出部７１２からの位置情報を受信した場合、位置情報に基づいて、表示部７１１における接触物が接触した位置を特定する。制御部９０は、特定した接触の位置と、記憶部８０に記憶される第１キー２０１や音声ガイドキー２０２等の表示部７１１における位置とに基づいて、いずれかのキーが操作されたか否かを検知する。制御部９０は、いずれかのキーが操作されたことを検知した場合、そのキーに割り当てられた機能を実行させる。
【００３１】
また、制御部９０は、検出部７１２の検出結果に基づいて、第１領域（音声ガイドキー２０２）への接触物の接触を検知し、表示部７１１に対する接触物の接触が継続することを検知し、さらに、いずれかの第１キー２０１に対応する領域への接触物の接触を検知した場合に、スピーカー１００から、その第１キー２０１に割り当てられる所定の機能に関する情報についての音声を出力させる。すなわち、制御部９０は、音声ガイドを実行させる。具体的には、制御部９０は、検出部７１２の検出結果に基づいて、例えば、指が音声ガイドキー２０２に接触したことを検知し、指が表示部７１１から離れることなくそのまま表示部７１１上をなぞるように移動されたことを検知し、さらに、指がいずれかの第１キー２０１に接触したことを検知した場合には、指が接触された第１キー２０１に割り当てられる機能に関する情報を音声によりスピーカー１００から出力させる。
【００３２】
また、制御部９０は、検出部７１２の検出結果に基づいて、第１領域（音声ガイドキー２０２）への接触物の接触を検知した場合に、接触物が接触される第１キー２０１に割り当てられた所定の機能を音声で出力する音声ガイドが実行される状態になったことを示す音声をスピーカー１００から出力させる。すなわち、制御部９０は、検出部７１２の検出結果に基づいて、例えば、指が音声ガイドキー２０２に接触したことを検知した場合には、記憶部８０に予め記憶される音声情報（上述した音声ガイドを実行する状態になったことを示す音声に関する情報）を読み出して、その音声情報に基づく音声（例えば、「音声ガイドを行います。」）をスピーカー１００から出力させる。
【００３３】
また、制御部９０は、検出部７１２の検出結果に基づいて、第１領域（音声ガイドキー２０２）への接触物の接触を検知した場合に、表示部７１１を振動させるよう振動部７１３を制御する。すなわち、制御部９０は、検出部７１２の検出結果に基づいて、例えば、指が音声ガイドキー２０２に接触したことを検知した場合には、振動部７１３を振動させる。これにより、表示部７１１は、振動する。なお、制御部９０は、検出部７１２の検出結果に基づいて、例えば、指が音声ガイドキー２０２から離れたことを検知した場合には、振動部７１３の振動を停止させる。
【００３４】
また、制御部９０は、検出部７１２の検出結果に基づいて、いずれかの第１キー２０１に対応する領域への接触物の接触を検知した場合に、表示部７１１を振動させるよう振動部７１３を制御する。すなわち、制御部９０は、検出部７１２の検出結果に基づいて、例えば、指が音声ガイドキー２０２に接触したことを検知し、指が表示部７１１から離れることなくそのまま表示部７１１上をなぞるように移動されたことを検知し、さらに、指がいずれかの第１キー２０１に接触したことを検知した場合には、上述した音声ガイドを実行させると共に、振動部７１３を振動させる。これにより、表示部７１１は、振動する。なお、制御部９０は、検出部７１２の検出結果に基づいて、例えば、指が第１キー２０１から離れたことを検知した場合には、振動部７１３の振動を停止させる。
【００３５】
接触物が接触する第１キー２０１が選択される場合には、制御部９０は、検出部７１２の検出結果に基づいて、第１キー２０１から接触物が離れることを検知した後、所定時間の間に、再度その第１キー２０１に接触物が接触したことを検知した場合に、その第１キー２０１に割り当てられる所定の機能を動作部に実行させる。ここで、動作部の例としては、エンジン部３や原稿読取部２０等を挙げることができる。
【００３６】
なお、入力装置３００は、タッチパネル７１と、スピーカー１００と、制御部９０とを主に備える。
【００３７】
次に、本実施形態における入力装置３００の動作の一例について説明する。図４は、ユーザによって操作されるタッチパネル７１について説明するための図である。
【００３８】
まず、タッチパネル７１に表示される音声ガイドキー２０２に接触物（以下では、接触物の一例として「指」を挙げて説明する。）が接触した場合、検出部７１２は、表示部７１１に指が接触したことを検出して、指の接触位置を示す位置情報を制御部９０に送信する。制御部９０は、タッチパネル７１に表示されるキーの位置情報と、検出部７１２から送信された位置情報とに基づいて、音声ガイドキー２０２が操作（タッチ）されたことを検知する。制御部９０は、音声ガイドキー２０２が操作されたことを検知した場合には、音声ガイドを実行させることが可能になる。ここで、制御部９０は、音声ガイドキー２０２が操作されたことを検知した場合には、音声ガイドが実行される状態になったことを示す音声（一例として、「音声ガイドを行います。」）をスピーカー１００から出力させることが可能である。また、制御部９０は、音声ガイドキー２０２が操作されたことを検知した場合には、振動部７１３によってタッチパネル７１の表面（例えば、表示部７１１）を振動させることが可能である。
【００３９】
例えば、ユーザの指によって音声ガイドキー２０２が操作された後、タッチパネル７１の表面から指が離れることなくタッチパネル７１の表面をなぞられ、タッチパネル７１に表示されるいずれかの第１キー２０１に移動した場合には、制御部９０は、その第１キー２０１に割り当てられる機能のガイドを音声によりスピーカー１００から出力させる。一例として、図４に示す場合では、ユーザの指が音声ガイドキー２０２から「用紙選択」キーに移動しているため、制御部９０は、「用紙選択」キーの音声ガイドとして「用紙サイズ選択機能」をスピーカー１００から出力させる。
【００４０】
より具体的には、検出部７１２は、ユーザの指によってタッチパネル７１の表面がなぞられる場合、表示部７１１における指の位置を示す位置情報を連続して制御部９０に送信する。制御部９０は、検出部７１２から送信される位置情報に基づいて、指によってタッチパネル７１の表面がなぞられていることを検知する。さらに、制御部９０は、タッチパネル７１に表示されるキーの位置情報と、検出部７１２から送信される位置情報とに基づいて、ユーザの指が「用紙選択」キーに接触していることを検知する。すると、制御部９０は、「用紙選択」キーに対応する音声ガイドデータ（音声情報）を記憶部８０から読み出して、音声ガイドデータに基づく音声をスピーカー１００から出力させる。ここで、制御部９０は、ユーザの指が「用紙選択」キーに接触していることを検知した場合には、振動部７１３によってタッチパネル７１の表面（例えば、表示部７１１）を振動させることが可能である。
【００４１】
なお、上述した例において、ユーザが「用紙選択」キーを操作する場合には、タッチパネル７１に接触している指をタッチパネル７１からいったん離した後、再度、「用紙選択」キーに指を接触させればよい。一方、ユーザが所望する第１キー２０１が「用紙選択」キーではない場合には、ユーザは、タッチパネル７１の表面をなぞるようにさらに指を移動させればよい。例えば、図４に示す場合において、「用紙選択」キーから「混合サイズ原稿」キーに指が移動した場合には、制御部９０は、「混合サイズ原稿」キーの音声ガイドをスピーカー１００から出力させる。
【００４２】
また、制御部９０は、音声ガイドキー２０２が操作されることに基づいて音声ガイドを実行した場合には、その後のコピー機１の動作中又は動作完了後にも音声ガイドを実行させることができる。例えば、音声ガイドキー２０２が操作されることに基づいて音声ガイドを実行した後、エンジン部３によって用紙に画像が形成される場合には、制御部９０は、エンジン部３が用紙に画像の形成を行っている最中に、例えば、「プリント中です。」という音声をスピーカー１００から出力させることができる。
【００４３】
以上説明したように、本実施形態の入力装置３００によれば、以下の効果が奏される。
すなわち、本実施形態の入力装置３００は、検出部７１２の検出結果に基づいて、音声ガイドキー２０２に対応する領域への接触物の接触を検知し、表示部７１１に対する接触物の接触が継続することを検知し、さらに、いずれかの第１キー２０１に対応する領域への接触物の接触を検知した場合に、スピーカー１００からその第１キー２０１に割り当てられる所定の機能に関する情報を音声により出力させる。これにより、入力装置３００は、第１キー２０１に割り当てられる機能を音声でガイドすることができる。すなわち、入力装置３００は、弱視及び全盲のユーザに対して、タッチパネル７１（表示部７１１）に接触する指等の位置に第１キー２０１があることを知らせることができる。
【００４４】
また、入力装置３００は、検出部７１２の検出結果に基づいて、音声ガイドキー２０２に対応する領域への接触物の接触を検知した場合に、接触物が接触される第１キー２０１に割り当てられた所定の機能を音声で出力する音声ガイドが実行される状態になったことを示す音声をスピーカー１００から出力させる。これにより、入力装置３００は、ユーザが音声ガイドキー２０２に触れたことをそのユーザに音声で知らせることができる。
【００４５】
また、入力装置３００は、検出部７１２の検出結果に基づいて、音声ガイドキー２０２に対応する領域への接触物の接触を検知した場合に、表示部７１１を振動させるよう振動部７１３を制御する。これにより、入力装置３００は、ユーザが音声ガイドキー２０２に触れたことをそのユーザに知らせることができる。これにより、入力装置３００は、ユーザが音声ガイドキー２０２に触れたことをそのユーザに振動で知らせることができる。
【００４６】
また、入力装置３００は、検出部７１２の検出結果に基づいて、いずれかの第１キー２０１に対応する領域への接触物の接触を検知した場合に、表示部７１１を振動させるよう振動部７１３を制御する。これにより、入力装置３００は、ユーザが第１キー２０１に触れたことをそのユーザに振動で知らせることができる。
【００４７】
なお、本発明は、上述した実施形態に限定されることはなく、種々の形態で実施することができる。
上述した実施形態では、音声ガイドキー２０２がタッチパネル７１（表示部７１１）における４つの角部のうち１つの角部に配置される例について説明した。しかしながら、音声ガイドキー２０２は、タッチパネル７１の４つの角部のうちの少なくとも１つの角部に配置されていればよい。また、音声ガイドキー２０２は、タッチパネル７１の周縁部を構成する４辺のうち、少なくとも１つの辺に配置されていてもよい。
【００４８】
また、上述した実施形態では、タッチパネル７１が矩形の場合について説明した。しかしながら、本発明は、タッチパネル７１が配置されるコピー機本体２の筐体に切り欠き部を設け、その切り欠き部にもタッチパネル７１が配置される形態であってもよい。この場合、タッチパネル７１のうち切り欠き部に対応する部分に音声ガイドキー２０２を表示（第１領域が配置）されてもよい。
【００４９】
また、上述した実施形態では、タッチパネル７１に表示される音声ガイドキー２０２に指を接触させた後、指でタッチパネル７１の表面をなぞり、その指が第１キー２０１に到達した場合に、第１キー２０１に割り当てられた機能を説明する音声をスピーカー１００から出力する例について説明した。しかしながら、入力装置は、音声ガイドキー２０２が所定の時間以上操作された（長押しされた）場合に、音声ガイドを実行させる形態であってもよい。
【００５０】
さらに、入力装置は、音声ガイドキー２０２が指等によって長押しされた後、タッチパネル７１から指が離れ、その後、第１キー２０１に指が接触した場合に、第１キー２０１の音声ガイドをスピーカー１００から出力される形態であってもよい。
【００５１】
また、上述した実施形態では、音声ガイドキー２０２がタッチパネル７１（表示部７１１）に表示される場合について説明した。しかしながら、本発明は、上述した実施形態に限定されることはなく、図５に示すように、音声ガイドキー２０２をタッチパネル７１（表示部７１１）に表示させない形態であってもよい。すなわち、本発明は、タッチパネル７１（表示部７１１）に、音声ガイドを実行させる機能が割り当てられた第１領域２０３が配置され、第１領域２０３に対応する部分に音声ガイドキーが表示されていない形態であってもよい。このような形態の場合、図６に示すように、接触物が第１領域２０３に接触し、その接触物が表示部７１１から離れることなくそのまま表示部７１１上をなぞるように移動し、さらに、接触物がいずれかの第１キー２０１（図６に示す場合では、「用紙選択」キー）に接触した場合には、制御部９０は、その第１キー２０１（「用紙選択」キー）に割り当てられる機能に関する情報を音声によりスピーカー１００から出力させる。
なお、表示部７１１には、第１領域２０３と重なるように文字等が表示されてもよく（図５、図６参照）、第１領域２０３と重なるように文字等が表示されなくともよい。
【００５２】
本実施形態では、入力装置３００がコピー機１に搭載される場合について説明した。しかしながら、本発明の入力装置３００は、コピー機１に搭載されるばかりでなく、現金自動預け払い機、自動販売機、自動券売機、携帯電話機、携帯情報端末、携帯オーディオプレーヤー等の電子機器に搭載されてもよい。
【００５３】
また、本実施形態のコピー機１は、カラーコピー機であるが、この形態に限定されることはなく、モノクロコピー機であってもよい。
また、本実施形態のコピー機１は、中間転写ベルト４８を介して用紙Ｔにトナー画像を転写している（間接転写方式）が、この形態に限定されることはなく、感光体ドラムに形成されたトナー画像を直接に用紙Ｔに転写してもよい（直接転写方式）。
また、本実施形態のコピー機１は、用紙Ｔの片面を印刷する構成であるが、これに限定されることはなく、用紙の両面を印刷する構成であってもよい。
【００５４】
また、本発明の画像形成装置は、上述したコピー機１に限定されることはない。すなわち、本発明の画像形成装置は、コピー機能、ファクシミリ機能、プリンター機能及びスキャナ機能を備える複合機であってもよい。
また、本発明の画像形成装置によってトナー画像が定着される被画像形成媒体は用紙Ｔに限定されることはなく、例えば、ＯＨＰ（オーバヘッドプロジェクター）シート等のフィルムシートであってもよい。
【符号の説明】
【００５５】
１…コピー機（画像形成装置）、７１…タッチパネル、７１１…表示部、７１２…検出部、７１３…振動部、９０…制御部、１００…スピーカー（音声出力部）、３００…入力装置
【図１】
2012178103.tif 000003
【図２】
2012178103.tif 000004
【図３】
2012178103.tif 000005
【図４】
2012178103.tif 000006
【図５】
2012178103.tif 000007
【図６】
2012178103.tif 000008